【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
電子ペンと、機器本体とから構成され、
機器本体は、電子ペンで収納場所名が入力可能であると共に収納場所名を出力表示するＡ画面と、電子ペンで収納箱名が入力可能であると共に収納箱名を出力表示するＢ画面と、電子ペンで品物名が入力可能であると共に品物名を出力表示するＣ画面と、各Ａ，Ｂ，Ｃ画面に入力された情報をそれぞれ記憶する出入力記憶部と、各記憶部の情報を関連付けて処理する共通情報処理部と、電子ペンで品物名が入力可能なＤ画面と、Ｄ画面に入力された品物名について共通情報処理部に検索指示しＡ、Ｂ、Ｃ画面に検索結果を表示させる{品物}ボタンとを備え、
探したい品物名を電子ペンでＤ画面に記入し｛品物｝ボタンを押すと、当該品物名と一致する収納場所がＡ画面に表示され、収納箱はＢ画面に、品物はＣ画面に収納箱内の品物一覧とともに表示されるようにしたことを特徴とする家庭用の品物と収納場所を探し出す機器。
【請求項２】
探したい品物名を電子ペンでＤ画面に記入し｛品物｝ボタンを押したとき、当該品物名が複数の収納場所や収納箱にある場合は、該当する箇所を点滅表示で知らせるようにしたことを特徴とする請求項1記載の家庭用の品物と収納場所を探し出す機器。
【請求項３】
デジタルカメラを備え、デジタルカメラで撮影した収納場所の画像が記憶部に記憶され、画像/表示画面ボタンを備え、画像/表示画面ボタンを押したとき、Ｃ画面にて記憶部に記憶された収納場所の画像を表示させるようにしたことを特徴とする請求項1又は２記載の家庭用の品物と収納場所を探し出す機器。
【請求項４】
｛場所｝ボタンと｛収納箱｝ボタンとを備え、｛場所｝ボタンを押したとき、Ｃ画面に記憶部に記憶された収納場所一覧を表示し、探したい収納場所名の数字を押すと、Ａ画面に当該収納場所名が表示され、次に｛収納箱｝ボタンを押すと、Ｃ画面に記憶部に記憶された収納箱一覧が表示され、探したい収納箱名の数字を押すと、Ｂ画面に当該収納箱名が、同時にＣ画面には記憶部に記憶された当該収納箱内の品物一覧が表示されるようにしたことを特徴とする請求項1ないし請求項３のいずれかに記載の家庭用の品物と収納場所を探し出す機器。
【手続補正２】
【補正対象書類名】明細書
【補正対象項目名】全文
【補正方法】変更
【補正の内容】
【発明の詳細な説明】
【発明の名称】家庭用の品物と収納場所を探し出す機器
【技術分野】
【０００１】
この発明は、品物を何処に収納したか探す場合に、電子ペンで品物名を記入することによって、どこの収納場所の、どの収納箱に 仕舞ったのかを探し出す事ができ、必要なら画像から確認もでき、またどの収納場所のどの収納箱にはどんな品物を仕舞ったかを、ボタン操作だけで調べる事のできる家庭用の品物と収納場所を探し出す機器に関する。
【背景技術】
【０００２】
従来は品物を収納したときにメモでその場所を残しておくか、パソコンに入力して印刷するなどしなければならず、面倒くさく、また記憶頼りだと、何処に仕舞ったか忘れてしまうなど、デッドストックになりやすかった。
また下記文献によると、コンピュータ入力も入力後に品物の場所を探すことも操作が複雑であり、自ら収納場所を写真撮影での画像確認もできず、家庭で使用するには不便であり、誰もが簡単・容易に探し出せるようにできる機器が求められていた。
【先行技術文献】
【特許文献】
【０００３】
【特許文献１】特開２００１-２９７０９７号公報
【発明の開示】
【発明が解決しようとする課題】
【０００４】
そこで、この発明は、品物を収納した場所を探すに当たり、品物名を電子ペンで記入することによって、その収納場所を見つけることができ、ボタン操作だけで何処の収納場所の、どの収納箱にどのような品物があるか品物の一覧を表示して、調べることもでき、また、必要なら画像で確認できる、家庭用の品物と収納場所を探 し出す機器を提供することを課題とする。
【課題を解決するための手段】
【０００５】
本発明の家庭用の品物と収納場所を探 し出す機器は、
電子ペンと、機器本体とから構成され、
機器本体は、電子ペンで収納場所名が入力可能であると共に収納場所名を出力表示するＡ画面,と、電子ペンで収納箱名が入力可能であると共に収納箱名を出力表示するＢ画面と、電子ペンで品物名が入力可能であると共に品物名を出力表示するＣ画面と、各Ａ，Ｂ，Ｃ画面に入力された情報をそれぞれ記憶する出入力記憶部と、各記憶部の情報を関連付けて処理する共通情報処理部と、電子ペンで品物名が入力可能なＤ画面と、Ｄ画面に入力された品物名について共通情報処理部に検索指示しＡ，Ｂ，Ｃ画面に検索結果を表示させる{品物}ボタンとを備え、
探したい品物名を電子ペンでＤ画面に記入し｛品物｝ボタンを押すと、当該品物と一致する、収納場所がＡ画面に表示され、収納箱はＢ画面に、品物はＣ画面に収納箱内の品物一覧とともに表示されるようにしたことを特徴とする。
本発明の機器によれば、電子ペンで、Ａ画面に収納場所名を、Ｂ画面に収納箱名を、Ｃ画面には品物名を各記入すると、これらの情報は各記憶部に格納され、共通情報処理部で関連付けられ、探したい品物名を電子ペンでＤ画面に記入し｛品物｝ボタンを押すと、当該品物と一致する、収納場所がＡ画面に表示され、収納箱はＢ画面に、品物はＣ画面に収納箱内の品物一覧とともに表示される。
本発明の機器によれば、品物名から収納場所と収納箱を電子ペンとボタン操作だけで探し出すことができる。
本発明の機器は、探したい品物名を電子ペンでＤ画面に記入し｛品物｝ボタンを押したとき、当該品物名が複数の場所や箱にある場合は、該当する箇所を点滅表示で知らせるようにしたことを特徴とする。
本発明の機器はデジタルカメラを備え、デジタルカメラで撮影した収納場所の画像が記憶部に記憶され、画像/表示画面ボタンを備え、画像/表示画面ボタンを押したとき、Ｃ画面にて記憶部に記憶された収納場所の画像を表示させるようにしたことを特徴とする。
【０００６】
本発明の機器は、｛場所｝ボタンと｛収納箱｝ボタンとを備え、｛場所｝ボタンを押したとき、Ｃ画面に記憶部に記憶された収納場所一覧を表示し、探したい収納場所名の数字を押すと、Ａ画面に当該収納場所名が表示され、必要なら画像をＣ画面に画像/表示画面ボタンで収納場所の画像を確認して、次に｛収納箱｝ボタンを押すと、Ｃ画面に記憶部に記憶された収納箱一覧が表示され、探したい収納箱名の数字を押すと、Ｂ画面に当該収納箱名が、同時にＣ画面には記憶部に記憶された当該収納箱内の品物一覧が表示されるようにしたことを特徴とする。
【発明の効果】
【０００７】
本発明によれば、収納場所名や収納箱名や品物名の入力は電子ペンで記入し、探したい品物は品物名を電子ペンで記入すると、その品物のある収納場所と収納箱が表示され、またボタン操作だけで、どこの収納場所のどの収納箱にどんな品物が収納されているか、探し出す事ができる簡単・便利な家庭用の機器を提供することができる。
【図面の簡単な説明】
【０００８】
【図１】この発明の一実施形態を示す斜視図である。
【図２】この発明の装置内の構成を示した説明図である。
【発明を実施するための形態】
【０００９】
この発明の一実施形態は、図1および図２ に示すように、電子ペン31で手書記入された情報は、Ａ画面1に記入の収納場所名がＡ画面出入力記憶部19で処理され、Ｂ画面３に記入の収納箱名はＢ画面出入力記憶部20で処理され、Ｃ画面５に記入の品物名はＣ-1画面出入力記憶部21で処理され、且つ内蔵デジカメ25で撮り込んだ画像はＣ-２ 画像出入力記憶部22で処理され、共通情報処理部30で関連付けられて格納される。
【００１０】
同じく、図 ２に示すように、電子ペン31でＤ画面17に品物名を記入すると、Ｄ画面出入力記憶部24の情報がＣ-1画面出入力記憶部21の情報と共通情報読取処理部28で一致すると、共通情報処理部30で関連付けられた収納場所名をＡ画面1に表示する。必要ならＣ-1画面出入力記憶部21から選択処理部23で Ｃ-２画像出入力記憶部22を選択し、当該品物名のある収納場所の画像を読出し、共通確認処理部29でＡ画面出入力記憶部19の情報が一致するとＣ画面５ に表示される。収納箱名はＢ画面３に表示され、当該品物名はＣ画面５に当該収納箱内の品物一覧とともに表示され、当該品物名が複数の収納場所や収納箱にある場合は点滅表示27で知らせるように、全ての情報は内蔵ＣＰＵ26で処理される。
【００１１】
機器の操作は、図１に示すように、まず電子ペン31でＡ画面1に収納したい場所名を記入して、Ａの確定・空欄ボタン２を押すと入力確定となる。次にＢ画面3に収納箱名 を記入して、Ｂの確定ボタン４を押すと入力確定となる。その状態で、Ｃ画面５に収納する品物を仕舞いたいだけの品物を記入して、Ｃの確定ボタン６ を押すと入力確定となる。
Ｃ画面５に記入しきれない場合は｛次ページ｝７ボタンを押して次ページを表示し、品物名を記入していく。各表示画面がＯＫなら、Ａ,Ｂ,Ｃの各ボタンを順次再度押すと、Ａ,Ｂ,Ｃの画面は空欄となり、次の書き込みが出来る状態になる。
【００１２】
また、品物を何処に仕舞ったかを探すには、図1に示すように、Ｄ画面17に品物名を電子ペン31で記入して｛品物｝ボタン18を押すと、Ａ画面1に収納場所名が、Ｂ画面３に収納箱名が表示され、Ｃ画面５には当該箱内の品物一覧とともに当該品物が表示される。必要なら収納場所の画像に画像/表示画面ボタン15で切り換えて当該収納場所の画像を表示する。Ｄ画面17に表示した品物名が複数の収納場所や収納箱にある場合は点滅表示27で知らせられる。
【００１３】
また、どこの収納場所のどの収納箱内にどんな品物があるかを見るには、図1に 示すように、｛場所｝ボタン８を押すと、収納場所一覧がＣ画面５に表示される。
その収納場所を選択してＡ画面1に表示するには、当該収納場所名の数字９を押すと、Ａ画面1に表示されるので、確定するならＡの確定ボタン２を押す。同じく｛収納箱｝ボタン10を押すと、収納箱一覧がＣ画面５に表示されるので、Ｂ画面３に表示したい収納箱は当該収納箱名にある数字９を押すと、Ｂ画面３に表示され、同時にＣ画面５に当該収納箱内の品物一覧が表示される。
【００１４】
次に、消したい収納場所がある場合には、図1に示すように、まず｛消去｝ボタン11を押してから、次に{場所}ボタン８を押し、Ｃ画面５に収納場所一覧が表示されたら、当該収納場所名の数字９を押す。同じく、消したい収納箱がある場合には、｛消去｝ボタン11を押してから、{収納箱}ボタン10を押し、Ｃ画 面５に収納箱一覧が表示されたら、当該収納箱名の数字９を押す。同じく、消したい品物名も上記の処理と同じである。また消された画面は自動的に順次繰り上がって表示される。並び替える場合は｛並替｝ボタン12を押す。またＤ画面の間違い記入を消すには｛消去｝ボタン11を 押し｛品物｝ボタン18を押す。
【００１５】
また、収納場所確認用の写真を撮りたい場合には、図1に示すように、Ａ画面1に収納場所名を記入し、または既に記憶された収納場所名を表示して、Ａの確定ボタン２を押 してから、内蔵デジカメ25の電源13を入れると、Ｃ画面５に画像表示の可能な画面になり、その画面を見ながら、所定の位置にピントを合わせて、シャッターボタン14を押すと、当該収納場所が撮れて確定する。また、この画像で場所の確認を終え、収納箱一覧・品物一覧の画面に表示を切り換えるには、画像/表示画面ボタン15を押す。また画像を消すには、消したい画像を表示して、画像消去ボタン16を押す。
【符号の説明】
【００１６】
１ Ａ画面 
２ Ａ画面の確定/空欄ボタン 
３ Ｂ画面 
４ Ｂ画面の確定/空欄ボタン 
５ Ｃ画面 
６ Ｃ画面の確定/空欄ボタン 
７｛次ページ｝ボタン 
８｛収納場所｝ボタン 
９ Ｃ画面表示の項目数字 
１０｛収納箱｝ボタン 
１１ Ｃ画面表示の項目｛消去｝ボタン 
１２｛並替｝ボタン 
１３ カメラの電源ボタン 
１４ シャッター 
１５ 画像/表示画面ボタン 
１６ 画像消去ボタン 
１７ Ｄ画面
１８｛品物｝ボタン
１９ Ａ画面出入力記憶部
２０ Ｂ画面出入力記憶部
２１ Ｃ-１画面出入力記憶部
２２ Ｃ-２画像出入力記憶部
２３ 選択処理部
２４ Ｄ画面出入力記憶部
２５ カメラ
２６ ＣＰＵ
２７ 点滅表示 
２８ 共通情報読取処理部
２９ 共通確認処理部
３０ 共通情報処理部
３１ 電子ペン
３２ バッテリー